(57)【要約】【課題】製造や廃棄の際に環境への影響が少ないボールチェーンを提供する。【解決手段】細長い紐１２と、紐１２に所定のピッチで連結された複数個のボール１４を有する。少なくとも紐１２またはボール１４はセルロース繊維で作られ、紐１２及びボール１４に含まれるセルロース繊維の合計質量は、紐１２及びボール１４の合計質量に対して５１〜１００質量％である。紐１２は、セルロース繊維を８０質量％以上含有する紙糸を材料として織成または編成されている。ボール１４は、２５〜１００質量％のセルロース繊維と、０〜７５質量％のポリオレフィンと、０〜３０質量％のデンプンとを含有し、これら３種類の材料の合計質量が、ボール１４の質量に対して９０質量％以上を占める射出成形物である。【選択図】図１
0003180021.tif 000002
【実用新案登録請求の範囲】
【請求項１】
細長い紐（１２）と、前記紐（１２）に所定のピッチで連結された複数個のボール（１４）が設けられ、少なくとも前記紐（１２）または前記ボール（１４）はセルロース繊維で作られ、前記紐（１２）及び前記ボール（１４）に含まれるセルロース繊維の合計質量は、前記紐（１２）及び前記ボール（１４）の合計質量に対して５１〜１００質量％であるボールチェーン。
【請求項２】
前記紐（１２）は、セルロース繊維を８０質量％以上含有する紙糸を材料として織成または編成され、前記ボール（１４）は、２５〜１００質量％のセルロース繊維と、０〜７５質量％のポリオレフィンと、０〜３０質量％のデンプンとを含有し、これら３種類の材料の合計質量が、前記ボール（１４）の質量に対して９０質量％以上を占める射出成形物である請求項１記載のボールチェーン。
【請求項３】
前記ボール（１４）は、デンプンを含有せず、セルロース繊維を３５〜７０質量％、ポリオレフィンを３０〜６５質量％含有する射出成形物である請求項２記載のボールチェーン。
【請求項４】
前記ボール（１４）は、ポリオレフィンを含有せず、セルロース繊維を７０〜９０質量％、デンプンを１０〜３０質量％含有する射出成形物である請求項２記載のボールチェーン。
【請求項５】
前記ボールチェーンはコネクタ（１６，２６）を備え、前記コネクタ（１６，２６）は、２５〜１００質量％のセルロース繊維と、０〜７５質量％のポリオレフィンと、０〜３０質量％のデンプンとを含有し、これら３種類の材料の合計質量が、前記コネクタ（１６，２６）の質量に対して９０質量％以上を占める射出成形物である請求項１，２，３又は４記載のボールチェーン。
【請求項６】
前記ボールチェーンはコネクタ（１６，２６）を備え、前記ボール（１４）はデンプンを含有せず、３５〜７０質量％のセルロース繊維と、３０〜６５質量％のポリオレフィンを含有し、セルロース繊維及びポリオレフィンの合計質量が、前記ボール（１４）の質量に対して９０質量％以上を占める射出成形物であり、前記コネクタ（１６，２６）は前記ボール（１４）と同じ組成の射出成形物である請求項５記載のボールチェーン。
【請求項７】
前記ボールチェーンはコネクタ（１６，２６）を備え、前記ボール（１４）は、デンプンを含有せず、３５〜７０質量％のセルロース繊維と、３０〜６５質量％のポリオレフィンを含有し、セルロース繊維及びポリオレフィンの合計質量が、前記ボール（１４）の質量に対して９０質量％以上を占める射出成形物であり、前記コネクタ（１６，２６）は前記ボールと異なる組成の射出成形物である請求項５記載のボールチェーン。
【請求項８】
前記紐（１２）、前記ボール（１４）及び前記コネクタ（１６，２６）に含まれるセルロース繊維の合計質量は、前記紐（１２）、前記ボール（１４）及び前記コネクタ（１６，２６）の合計質量に対して５１％以上である請求項５，６又は７記載のボールチェーン。
【考案の詳細な説明】
【技術分野】
【０００１】
この考案は、物品の連結や、物品の動作の伝達等に使用するボールチェーンに関する。
【背景技術】
【０００２】
従来、ボールチェーンは、金属ワイヤ、繊維紐、合成樹脂線等の紐に、同じく金属製あるいは合成樹脂製のボールが、等ピッチで連続して連結されて構成されている。これらのボールチェーンの用途は多様であり、例えば携帯電話の持ち手具、装身用鎖、蛍光燈の点灯操作具、各種インテリアの吊下具やブラインドの開閉操作具などが挙げられる。また、その使い方も多様であり、ボールチェーンをエンドレスに連結し、或いは直線的に連結して使用する。
【０００３】
例えば、特許文献１のボールチェーン用係着具には、上記のようなボールチェーンが開示されており、ボールチェーンの任意の位置の部位に、このボールチェーン用係着具を取り付けて、安定した連結構造を有し、チェーンの妄りな移動を規制するストッパとしての機能も有するものである。
【先行技術文献】
【特許文献】
【０００４】
【特許文献１】特開２００１−２７５７２３号公報
【考案の概要】
【考案が解決しようとする課題】
【０００５】
上記背景技術の場合、ボールチェーンは、金属ワイヤ、繊維紐、合成樹脂線等の紐に、同じく金属製あるいは合成樹脂製のボールが取り付けられて設けられているため、製造や廃棄する際に環境への影響が大きいものである。近年の環境意識の高まりを受け、ボールチェーン等の小形の部品においても環境対応製品のニーズが高まっており、例えばリサイクルが可能な紙等のセルロース繊維で作られた商品が求められている。
【０００６】
この考案は、上記背景技術の問題点に鑑みてなされたものであり、製造や廃棄の際に環境への影響が少ないボールチェーンを提供することを目的とする。
【課題を解決するための手段】
【０００７】
この考案は、細長い紐と、前記紐に所定のピッチで連結された複数個のボールが設けられたボールチェーンであり、少なくとも前記紐または前記ボールはセルロース繊維で作られ、前記紐及び前記ボールに含まれるセルロース繊維の合計質量は、前記紐及び前記ボールの合計質量に対して５１〜１００質量％である。
【０００８】
また、前記紐は、セルロース繊維を８０質量％以上含有する紙糸を材料として織成または編成され、前記ボールは、２５〜１００質量％のセルロース繊維と、０〜７５質量％のポリオレフィンと、０〜３０質量％のデンプンとを含有し、これら３種類の材料の合計質量が、前記ボールの質量に対して９０質量％以上を占める射出成形物である。
【０００９】
前記ボールは、デンプンを含有せず、セルロース繊維を３５〜７０質量％、ポリオレフィンを３０〜６５質量％含有する射出成形物である。
【００１０】
又は、前記ボールは、ポリオレフィンを含有せず、セルロース繊維を７０〜９０質量％、デンプンを１０〜３０質量％含有する射出成形物である。
【００１１】
前記ボールチェーンはコネクタを備えたボールチェーンであり、前記コネクタは、２５〜１００質量％のセルロース繊維と、０〜７５質量％のポリオレフィンと、０〜３０質量％のデンプンとを含有し、これら３種類の材料の合計質量が、前記コネクタの質量に対して９０質量％以上を占める射出成形物である。
【００１２】
また、前記ボールチェーンはコネクタを備えたボールチェーンであり、前記ボールはデンプンを含有せず、３５〜７０質量％のセルロース繊維と、３０〜６５質量％のポリオレフィンを含有し、セルロース繊維及びポリオレフィンの合計質量が、前記ボールの質量に対して９０質量％以上を占める射出成形物であり、前記コネクタは前記ボールと同じ組成の射出成形物である。
【００１３】
又は、前記ボールチェーンはコネクタを備えたボールチェーンであり、前記ボールは、デンプンを含有せず、３５〜７０質量％のセルロース繊維と、３０〜６５質量％のポリオレフィンを含有し、セルロース繊維及びポリオレフィンの合計質量が、前記ボールの質量に対して９０質量％以上を占める射出成形物であり、前記コネクタは前記ボールと異なる組成の射出成形物である。
【００１４】
前記紐、前記ボール及び前記コネクタに含まれるセルロース繊維の合計質量は、前記紐、前記ボール及び前記コネクタの合計質量に対して５１％以上である。
【考案の効果】
【００１５】
この考案のボールチェーンは、セルロース繊維が高質量％で含まれ、製造や廃棄の際に環境への影響が少ないものである。使用後は紙としてリサイクル可能であり、資源を効率よく利用することができる。
【図面の簡単な説明】
【００１６】
【図１】この考案の一実施形態のボールチェーンの正面図である。
【図２】この実施形態のボールチェーンの部分拡大断面図である。
【図３】この実施形態のボールチェーンのコネクタを示す斜視図である。
【図４】この実施形態のボールチェーンのコネクタの他の例を示す正面図である。
【考案を実施するための形態】
【００１７】
以下、この考案の実施形態について図面に基づいて説明する。図１〜図３はこの考案の一実施形態を示すもので、この実施形態のボールチェーン１０は、セルロース繊維で作られた細長い紐１２が設けられ、紐１２には、セルロース繊維を含むボール１４が、所定のピッチ、例えば等ピッチで連続して取り付けられている。ボール１４は、セルロース繊維を含む合成樹脂材料から得られ、射出成形によって紐１２に取り付けられている。ボールチェーン１０の両端部には、ボールチェーン１０の両端部を連結して環状に連結するコネクタ１６が取り付けられている。
【００１８】
ここで、コネクタ１６について説明する。コネクタ１６は、セルロース繊維を含む合成樹脂材料から得られる射出成形物であり、胴体１８の全体形状が略繭玉状を呈しており、その一側面に、ボールチェーン１０の２個のボール１４を収納保持する幅広のボール収納溝２０，２２が胴体１８の中央部を挟んで長さ方向に並んで設けられている。さらに胴体１８には、ボールチェーン１０の紐１２が入れられる幅狭の紐収容溝２４が、ボール収納溝２０，２２を連結して設けられている。紐収容溝２４は、胴体１８の長さ方向に沿って胴体１８の中心を通過して両端部に貫通し、胴体１８の側面に一定深さで直線状に開口している。コネクタ１６の両端部の紐収容溝２４には、その対向する内側面２４ａに、側面の溝開口部からの紐１２の抜け落ちを防ぐために、紐係脱突条２４ｂが、互いに対向して紐収容溝２４の長手方向に沿って設けられている。
【００１９】
図４は、ボールチェーン１０の端部を他部材と連結するコネクタ２６を示す。コネクタ２６は、セルロース繊維を含む合成樹脂材料から得られる射出成形物であり、胴体２８の全体形状が一方向に長い略矩形のブロック体を呈しており、その一側面に、ボールチェーン１０の１個のボール１４を収納保管するボール収納溝３０が設けられ、胴体２８には、ボールチェーン１０の紐１２が入れられる紐収容溝３２が、ボール収納溝３０を貫通して設けられている。紐収容溝３２は、胴体２８の長さ方向に沿って胴体２８の中心を通過して一方の端部に貫通し、胴体２８の側面に一定深さで直線状に開口している。紐収容溝３２の深さ方向の途中の内側面には、紐１２の抜け落ちを防ぐための図示しない紐係脱突条が設けられ、前記紐係脱突条は、互いに対向して一対が設けられている。胴体２８の、紐収容溝３２が開口した端部と反対側の端部には、穴３４が設けられた取付部３６が側方に突出して設けられている。
【００２０】
次に、ボールチェーン１０全体の材料について説明する。紐１２とボール１４を備えたボールチェーン１０を紙としてリサイクル可能にするためには、紐１２とボール１４に含まれるセルロース繊維の合計質量が紐１２とボール１４の合計質量に対して５１質量％以上、好ましくは６０質量％以上であることが望まれる。従って、紐１２とボール１４を構成する材料組成は、このことを考慮して選定すべきである。例えば、ボール１４は、応力や外部との摩擦などが使用時に加わり、紐１２に比べて強度の要求が高い。そこで、紐１２よりもボール１４の強度を高くするために、ボール１４は、ポリオレフィン及び／又はデンプンを含有した材料を紐１２と比較して少なく使用し、紐１２とボール１４の合計質量に対するセルロース繊維の含有量は、リサイクル性が確保できる程度に制御する必要がある。
【００２１】
次に、紐１２の材料について説明する。紐１２は、植物繊維を膠着させて製造した一般的な紙を材料とすることができる。製紙プロセスは公知であり、例えば、木材、木綿、亜麻、麻、藁、みつまた、こうぞ等より得られる木材若しくは非木材パルプ、又は使用済み新聞紙、雑誌、段ボール等の紙類、板紙、裁断屑紙、製紙工程で発生する破紙、損紙、落とし紙、使用済廃紙等のような古紙パルプ、又はこれらを混合したものを得るパルプ工程と、水中に分散させたパルプを糸状に形成し乾燥する工程を経て製造することができる。なお、以下の説明で、「紙成分」と「セルロース繊維」は置換可能に使用される。紐１２を構成する紙中のセルロース繊維は、含有量が少ないと紙としてのリサイクル性が低くなるので、セルロース繊維は８０質量％以上とすることが好ましく、９０質量％以上とすることがより好ましく、また、この場合、残りの部分にデンプンを含有してもよい。セルロース繊維を１００質量％とすることが更により好ましい。
【００２２】
また、紙としてリサイクル可能な範囲であることを条件として、各種の公知の添加材を添加することができる。例えば、製紙用助剤として知られている各種のデンプン類、ポリアクリルアミド、尿素樹脂、メラミン樹脂、エポキシ樹脂、ポリアミド、ポリアミン、ポリエチレンイミン、植物ガム、ポリビニルアルコール、ラテックス、ポリエチレンオキサイド、親水性架橋ポリマー粒子分散物及びこれらの誘導体あるいは変成物等の各種化合物を適宜添加することができる。酸化防止剤、滑剤、染料、蛍光増白剤、ｐＨ調整材、消泡剤、ピッチコントロール剤、スライムコントロール剤等の抄紙用内添剤を適宜添加することもできる。更には、硫酸バンド、塩化アルミニウム、アルミン酸ソーダ、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等の製紙用内添助剤を適宜添加することもできる。
【００２３】
次に、ボール１４の材料について説明する。ボール１４は、セルロース繊維、ポリオレフィン系樹脂及びデンプンを含有する射出成形物として提供される。ポリオレフィン系樹脂としては、ペレット状にしたものを紙と混合して射出成形可能な材料が好ましく、例えばポリエチレンやポリプロピレンが挙げられる。ポリオレフィン系樹脂は、異なる材料を混合して使用することもできる。
【００２４】
ボール１４は、例えば２５〜１００質量％のセルロース繊維と、０〜７５質量％のポリオレフィンと、０〜３０質量％のデンプンとを含有し、これら３種類の材料の合計質量がボール１４の質量に対して９０質量％以上を占める射出成形物である。セルロース繊維は、紙としてのリサイクルを可能にする上で必須であるため、２５〜１００質量％としている。ポリオレフィンとデンプンは、任意成分であるが、強度及び耐久性の向上を目的として添加することができる。ポリオレフィンは強度及び耐久性の観点でデンプンよりも優れているが、化石燃料を材料とする点でデンプンよりも環境保護の観点では劣る。従って、両者の使用量は当該事情を比較考慮して決定する。リサイクル性と強度及び耐久性とのバランスを考慮すると、ポリオレフィンとデンプンは合計で１０質量％以上含有することが好ましく、２０質量％以上含有することがより好ましい。デンプンの許容量がポリオレフィンよりも少ないのは、デンプンは多く含有させすぎるとボール１４が逆に脆くなりやすいためである。
【００２５】
また、ボール１４は、例えば５１〜１００質量％のセルロース繊維と、０〜４９質量％のポリオレフィンと、０〜３０質量％のデンプンとを含有し、これら３種類の材料の合計質量がボール１４の質量に対して９０質量％以上を占める射出成形物でもよい。これは、ボール１４の紙としてのリサイクル特性を重視した配合である。強度及び耐久性の観点からは、ポリオレフィン及びデンプンは合計で１０質量％以上含有することが好ましく、２０質量％以上含有することがより好ましい。
【００２６】
また、ボール１４は、例えばデンプンを含有せず、セルロース繊維を３５〜７０質量％、ポリオレフィンを３０〜６５質量％含有し、セルロース繊維及びポリオレフィンの合計質量がボール１４の質量に対して９０質量％以上を占める射出成形物でもよい。これは、強度及び耐久性を重視した配合である。リサイクル特性と強度及び耐久性とのバランスを考慮して、セルロース繊維を４５〜６５質量％、ポリオレフィンを３５〜５５質量％とすることもできる。
【００２７】
また、ボール１４は、例えばポリオレフィンを含有せず、セルロース繊維を７０〜９０質量％、デンプンを１０〜３０質量％含有し、セルロース繊維及びデンプンの合計質量がボール１４の質量に対して９０質量％以上を占める射出成形物でもよい。これは、環境保護を重視した配合である。リサイクル特性と強度及び耐久性とのバランスを考慮して、セルロース繊維を７５〜８５質量％、デンプンを１５〜２５質量％とすることもできる。
【００２８】
上記の実施形態においては、セルロース繊維、ポリオレフィン及びデンプンはボール１４の主成分であり、これら３種類の材料の合計質量がボール１４の質量に対して９０質量％以上を占めることが典型的であるが、９５質量％を占めることもでき、１００質量％を占めることも可能である。
【００２９】
ボール１４は、公知の射出成形技術を用いて製造することができる。例えば、木材、木綿、亜麻、麻、藁、みつまた、こうぞ等より得られる木材若しくは非木材パルプ、又は使用済み新聞紙、雑誌、段ボール等の紙類、板紙、裁断屑紙、製紙工程で発生する破紙、損紙、落とし紙、使用済廃紙等のような古紙パルプ、又はこれらを混合したものと、所定量のポリオレフィンのペレットの材料とを一緒に射出成形機内で加熱しながら混練し、射出成形金型に充填することで製造することができる。デンプンを含有する場合には水も一緒に混練し、射出成形後に水分を除去するために乾燥する方法（パルプ射出成形）を採用することが好ましい。
【００３０】
また、上記の組成条件を満たすことを条件として、各種の公知の添加材を添加することができる。添加材としては、紐１２の箇所で例示したものと同様の添加材を使用することができる。酸化防止剤や滑剤を添加することもできる。
【００３１】
次に、コネクタ１６の材料について説明する。コネクタ１６自体はボールチェーン１０から比較的容易に取り外すことができるので、従来と同様の合成樹脂で製造してもよいが、リサイクル性を高める上では紙成分を材料とすることが好ましい。ボール１４を形成する材料と同様の材料で、コネクタ１６を射出成形して提供することができる。ボール１４と同一にしてもよいし、異なる組成とすることもできる。
【００３２】
コネクタ１６は、例えば例えば２５〜１００質量％のセルロース繊維と、０〜７５質量％のポリオレフィンと、０〜３０質量％のデンプンとを含有し、これら３種類の材料の合計質量が、コネクタ１６の質量に対して９０質量％以上を占める射出成形物である。リサイクル性と強度及び耐久性とのバランスを考慮すると、ボール１４と同様に、ポリオレフィン及びデンプンは合計で１０質量％以上含有することが好ましく、２０質量％以上含有することがより好ましい。ただし、強度や耐久性を求めず、環境負荷の低減を最重要視する場合は、ポリオレフィン及びデンプンの何れも含有しなくてもよい。
【００３３】
また、コネクタ１６は、例えばデンプンを含有せず、セルロース繊維を３５〜７０質量％、ポリオレフィンを３０〜６５質量％含有し、セルロース繊維及びポリオレフィンの合計質量がコネクタ１６の質量に対して９０質量％以上を占める射出成形物でもよい。これは、連結部品であるコネクタ１６には強度及び耐久性が要求されることを考慮した配合である。コネクタ１６は、ボール１４と同様に公知の射出成形技術を用いて製造することができる。
【００３４】
なお、ボールチェーン１０のリサイクル性の観点からは、紐１２、ボール１４及びコネクタ１６に含まれるセルロース繊維の合計質量が、紐１２、ボール１４、コネクタ１６の合計質量に対して５１質量％以上であることが好ましく、６０質量％以上であることがより好ましい。なお、コネクタ２６の材料は、コネクタ１６と同じでもよい。
【００３５】
この実施形態のボールチェーン１０によれば、製造や廃棄の際に環境への影響が少ないものである。セルロース繊維が高い質量％で含まれ、使用後は、紙としてリサイクル可能であり、資源を効率よく利用することができる。物品の連結や、物品の動作の伝達等に使用するための十分な強度を持ち、安全に使用することができる。
【００３６】
なお、この考案は上記実施の形態に限定されるものではなく、各部材の形状は適宜変更可能であり、ボールの形状や紐に取り付けるピッチは、用途に合わせて適宜変更可能であり、コネクタの形状も上記以外に確実に連結されるものであればよい。材料は、環境に配慮した上記の範囲であれば適宜変更可能である。
【符号の説明】
【００３７】
１０  ボールチェーン
１２  紐
１４  ボール
１６  コネクタ
１８  胴体
２０，２２  ボール収納溝
２４  紐収容溝
【図１】
0003180021.tif 000003
【図２】
0003180021.tif 000004
【図３】
0003180021.tif 000005
【図４】
0003180021.tif 000006